(57)【要約】装置アイデンティティを格納するためのメモリと、他の装置との通信接続を支持するためのデータ送信機と、格納された前記装置アイデンティティを周期的に変更し、また前記データ送信機にその格納された装置アイデンティティを周期的に送信させることで前記装置が同定され得るように構成されている通信コントローラと、を備えて成る通信装置。
2009524374.tif 000002
【特許請求の範囲】
【請求項１】
装置アイデンティティを格納するためのメモリと、
他の装置との通信接続を支持するためのデータ送信機と、
２つのプロトコルを用いて通信可能である通信コントローラであって、前記通信装置が同定され得るように格納された前記装置アイデンティティを第１の前記プロトコルに従って周期的に送信するように構成され、また、前記格納された前記装置アイデンティティを周期的に変更し、続いて前記データ送信機にその格納された装置アイデンティティを第２の前記プロトコルに従って送信させるように構成されている該通信コントローラと、
を備えて成る通信装置。
【請求項２】
請求項１に記載された通信装置であって、
前記コントローラは、前記装置と他の装置との間で前記第１のプロトコルに従って通信接続が成立した際に、前記格納された装置アイデンティティを変更するように構成されている通信装置。
【請求項３】
請求項１または２に記載された通信装置であって、
前記コントローラは、前記第１のプロトコルに従って、前記格納された装置アイデンティティを前記他の装置に送信し、前記第２のプロトコルを用いて当該他の装置と通信し、その装置と装置アイデンティティについて交渉し、前記交渉された装置アイデンティティを、前記格納された装置アイデンティティとして格納するように構成されている通信装置。
【請求項４】
請求項１から３までのいずれか１項に記載された通信装置であって、前記コントローラは、カウンタが所定の値に達したときに、前記格納されたアイデンティティを変更するように構成されている通信装置。
【請求項５】
請求項４に記載された通信装置であって、前記カウンタをタイマとした通信装置。
【請求項６】
請求項１から５までのいずれか１項に記載された通信装置であって、
前記コントローラは、他の装置と前記装置アイデンティティについて交渉するために、前記第２のプロトコルを用いて当該他の装置と通信することによって、前記格納された装置アイデンティティを変更し、前記格納された装置アイデンティティとしてその交渉された装置アイデンティティを格納するように構成されている通信装置。
【請求項７】
請求項１から６までのいずれか１項に記載された通信装置であって、
前記コントローラは、前記装置アイデンティティを生成するためのアルゴリズムを格納し、前記格納された装置アイデンティティを、前記アルゴリズムに従って前記装置アイデンティティを算出することで変更し、前記算出された装置アイデンティティを前記格納された装置アイデンティティとして格納するものである通信装置。
【請求項８】
請求項１から７までのいずれか１項に記載された通信装置であって、
前記コントローラおよび前記送信機は、前記第1のプロトコルに従い、超広帯域ビーコン発信により、前記格納された装置アイデンティティを周期的に送信するように構成されている通信装置。
【請求項９】
請求項１から８までのいずれか１項に記載された通信装置であって、前記第２のプロトコルを安全なプロトコルとした通信装置。
【請求項１０】
装置アイデンティティを格納するためのメモリと、他の装置との通信接続を支持するためのデータ送信機とを備えて成る通信装置を用いたアイデンティティの通信のための方法であって、
前記格納された装置アイデンティティの周期的な変更と、
前記格納された装置アイデンティティを変更する各ステップに続く、第１のプロトコルを用いた、前記格納された装置アイデンティティの送信と、
前記装置が同定され得るための、前記格納された装置アイデンティティの、第２プロトコルに従った周期的な送信とを含む方法。
【請求項１１】
請求項１０に記載された方法であって、前記装置アイデンティティを変更するステップは、
他の装置との装置アイデンティティについての交渉と、
前記装置アイデンティティを、前記格納された装置アイデンティティとして格納することと、
から成る方法。
【請求項１２】
本願明細書において、添付図面に関して記載された通信装置。
【請求項１３】
本願明細書において、添付図面に関して記載されたアイデンティティ通信のための方法。
【発明の詳細な説明】
【技術分野】
【０００１】
この発明は、無線通信装置を同定するアイデンティティ（同一性）を変更することに関するものである。かかるアイデンティティはビーコン発信によって送信することができる。この発明は、特に、しかしながら排他的でなく、超広帯域（ＵＷＢ）無線システムに適用することができる。
【背景技術】
【０００２】
多くの標準的な無線規格が、超広帯域（ＵＷＢ）無線通信のために現在提案されている。その一例が、ＭＢＯＡ（MultiBand OFDM Alliance：複数帯域ＯＦＤＭ提携）規格である。
【０００３】
ＭＢＯＡの如き、少なくともいくつかの超広帯域規格が、一定の間隔で送信されるビーコン信号を定義している。このビーコンは、複数の装置の無線通信が同期を維持することを助けるとともに、さらなる装置がそのビーコンを送信している装置との通信を形成することを可能にするために用いられる。このビーコン信号は、局所的な装置アドレスと、世界的な装置識別子とを含む多くの情報項目を組み込んでいる。局所的な装置アドレスは、受信範囲内の他の装置と局所的に交渉され、その一方、世界的な装置識別子は、一定を維持し、ビーコン信号を送信する装置に対し世界的に一意的である。
【０００４】
局所的な装置アドレスと世界的な装置識別子とは長さが異なっており、長い方の、一定な世界的装置識別子は、ネットワークに入る装置が他のどの装置との通信を望むかを決定可能にするためにビーコン中で発信される。それは本質的にＭＡＣアドレスと同等である。例えば、携帯電話機は、プリンタに接続したいかも知れず、そして過去の経験からそのプリンタが特定のアドレスを有することを知るかもしれない。その電話機が超広帯域ネットワークに接続されると、印刷を行うためにそのアドレスを有する装置を探し出すことができる。世界的装置識別子は、そのプロトコルに従って作動する全ての超広帯域装置がそれら自身の一意的な世界的装置識別子を有することができるように、充分長い必要がある。
【０００５】
局所的な装置アドレスは、より短く、そして局所的に交渉される。それはフレーム（ビーコン間の副分割期間）内のパケットに、そのパケットがどの装置からのものか、および／またはそれがどの装置に向けられたものかを同定するために用いられる。この目的で世界的装置識別子と別個の識別子を用いる理由は、世界的装置識別子は全ての単一データパケットで用いるには過剰に長く、もしもこの目的で用いたら不必要に帯域幅を消費するからである。局所的な装置アドレスは、実際に同時に接続される装置の最大数からある装置を一意的に同定するために充分に長ければ良い。
【０００６】
このような方法で作動している超広帯域無線装置は、そのビーコン信号を連続的に送信している。この信号が一定でかつ一意的な識別子を含むので、超広帯域対応装置は、不特定の利害関係者よって追跡されるかもしれない。これは、かかる装置の所有者にとって、プライバシーの喪失を意味する。問題の装置が個人的な携帯装置、つまりユーザが外出する際に携帯され得るタイプの装置である場合、この問題は特に深刻である。このような装置としては、例えば携帯電話、デジタル・カメラ、音楽プレーヤ、ＰＤＡや腕時計などが挙げられる。
【０００７】
したがって、かかる装置によって産出されるプライバシーを強化する必要がある。
【０００８】
ブルートゥース規格の現行のロードマップは、ブルートゥースおよび超広帯域無線の両方を使用した通信が可能な装置を想定している。超広帯域の性能は、高バンド幅データ経路でブルートゥース性能を補完する。
【０００９】
本発明は、装置アイデンティティを格納するためのメモリと、他の装置との通信接続を支持するためのデータ送信機と、前記装置が同定され得るように、格納された装置アイデンティティを周期的に変更し、またデータ送信機にその格納された装置アイデンティティを周期的に送信させるように構成されている通信コントローラと、を備えて成る通信装置を提供するものである。
【００１０】
本発明の第２態様は、装置アイデンティティを格納するためのメモリと、他の装置との通信接続を支持するためのデータ送信機とを備えて成る通信装置を用いたアイデンティティの通信のための方法であって、格納された装置アイデンティティの周期的な変更と、その装置が同定され得るための、格納された装置アイデンティティの周期的な送信とを含む方法を提供するものである。
【００１１】
コントローラは、当該装置と他の装置との間で通信接続が成立した際に、格納されたアイデンティティを変更するように構成しても良い。
【００１２】
コントローラは、他の装置と、２つのプロトコルを用いて通信可能としても良い。コントローラは、第１のプロトコルに従って、格納された装置アイデンティティを周期的に送信し、この第１のプロトコルに従い他の装置との間で通信接続が成した際に、第２のプロトコルを用いて当該他の装置と通信し、その装置と装置アイデンティティについて交渉するように構成されても良い。交渉された装置アイデンティティを、現在格納されている装置アイデンティティと置き換えて、格納された装置アイデンティティとして新しく格納するように構成しても良い。
【００１３】
コントローラは、カウンタが予め設定された値に達したときに、格納されたアイデンティティを変更するように構成しても良い。カウンタは、タイマとしても良い。
【００１４】
コントローラは、他の装置と装置アイデンティティについて交渉するために当該他の装置と通信することによって、格納されたアイデンティティを変更し、格納された装置アイデンティティとして、その交渉された装置アイデンティティを格納するように構成しても良い。
【００１５】
コントローラは、装置アイデンティティを生成するためのアルゴリズムを格納しても良い。コントローラは、そのアルゴリズムに従って装置アイデンティティを算出することで、格納されたアイデンティティを変更するように構成しても良い。このとき、格納された装置アイデンティティとして、その算出された装置アイデンティティを格納するように構成しても良い。
【００１６】
コントローラおよび送信機は、超広帯域ビーコン発信により、格納された装置アイデンティティを周期的に送信するように構成しても良い。
【００１７】
以下、本発明の実施例を添付図面に即して詳述する。図１は、通信装置を含むシステムを示す。
【００１８】
本願明細書に記載された実施例のシステムにおいて、超広帯域（ＵＷＢ）装置は、世界的に一定である識別子を含むビーコン信号を送信しない。代わりにこの装置は、動的に発生する識別子を送信する。この識別子は、前もって、好ましくは安全なチャンネルを通じて、この装置が通信することになっている他の関係者と交換されても良い。それは、装置および他の関係者によって、彼ら全員が知識を有するアルゴリズムを用いて動的に再計算されても良い。
【００１９】
図1は、３つの通信装置１ａ〜ｃを示す。各装置は、制御処理装置２を備え、この制御処理装置２は、ブルートゥース送受信機３および超広帯域（ＵＷＢ）送受信機４に接続されている。これらの送受信機は、各無線システムの基本的プロトコル機能を実行するために独立して作動しているが、制御処理装置２の制御下で機能している。
【００２０】
装置１ａおよび１ｂが超広帯域による通信を始めるとき、双方の装置はそのビーコン発信において、一方の装置が使用する識別情報について互いに交渉する。もし、両方の装置がビーコン送信を送信するならば、これらの装置は、双方のための識別情報について交渉することができる。
【００２１】
交渉される識別情報は、それらの装置が使用する超広帯域規格に依存する。これは、例えば、局所的に一意的な装置アドレスまたはローカルネットワークアドレスであってもよい。システムが超広帯域作動のために機能する際に、交渉された識別情報が一定のままである装置によるビーコン発信は必要としないように、好ましくは充分な識別情報が交渉される。好ましくは、それは、当該システムの全体において必ずしも一意的である必要の無い識別子とする。
【００２２】
識別情報は、超広帯域通信が装置の間で確立される前に交渉されても良く、その場合には、識別情報が交渉された装置が、いかなる超広帯域ビーコン発信も送信する前であっても良い。この場合、情報は、装置間のブルートゥース通信路（チャネル）を通じて交渉されても良い。ブルートゥース通信路は、超広帯域通信路がすでに設定されていても、交渉に使用され得る。あるいは、情報は、超広帯域通信路が設定された後に、その超広帯域によって伝達されても良い。後者の場合に、識別情報が交渉された装置は、超広帯域通信路の確立のために最初のアイデンティティ情報を使用し、そして、一旦チャンネルが確立し、情報が交渉されたならば、他のアイデンティティ情報を使用するように切替わる。
【００２３】
識別情報は、好ましくは安全な通信路を通じて交渉される。その結果、交渉過程は第三者によって追跡され得ない。交渉のために使用する通信は、例えば、暗号化されてもよい。この安全確保は、交渉に使用される通信路の固有の特徴としても良く、または、それは通信路にオーバーレイさせてもよい。
【００２４】
交渉プロセスは、以下のようにして運用し得る。交渉の開始は、１つの装置が、他の装置に所定の形式のID変更（CHANGE_ID）メッセージを送信することにより成される。このメッセージが他の装置によって承認されると、第１の装置は自分のための新しいアイデンティティ情報を生成し、この情報を所定の形式の新ID（NEW_ID）メッセージのパラメータとして他の装置に発信する。そのメッセージが他の装置によって受信されると、当該他の装置は第１の装置と通信するための上記新しいアイデンティティ情報を格納し、第１の装置に承認メッセージを返す。そして、第１の装置は、その新しいIDの使用を始める。第１の装置が複数の他の装置と通信している場合には、それら全部に対してこのプロセスを実行し、全ての他の装置に新しいアイデンティティ情報を取得させる。
【００２５】
アイデンティティ情報は、ランダム（擬似ランダムでも良い）に選択し得る。アイデンティティ情報が十分に長ければ、近くの装置のアイデンティティ情報と一致する確率は極めて低くなる。もし一致した場合には、第１の装置は上記のプロセスにより再びそのアイデンティティ情報を変えることができる。超広帯域システムにおいて同1の装置アドレスの衝突を回避するために、類似したプロセスが使用されても良い。
【００２６】
上記のように、装置のための現在のアイデンティティ情報は、その装置の超広帯域ビーコン発信に含まれる。このシステムは、これらのビーコン発信を、他の装置が上記装置を同定し、および／またはその装置との通信路を決め、そして、送信のあて先としてその装置を同定するために使用するというものである。これは、超広帯域対応装置が、一意的な世界的識別子を送信する必要が無く、代わりに、時間経過と共に変化可能な、潜在的に非一意的な識別子を使用することを意味する。これは、もはや装置は容易に追跡されなく、その装置および装置の所有者のプライバシーおよび安全確保を強化することを意味する。
【００２７】
識別情報は、周期的に再交渉されてもよい。いずれの装置も、そして好ましくは識別情報が交渉される装置は、情報の再交渉を始めることができる。好ましくは、いずれの装置も、直前の交渉から予め設定された時間が経過した後に、情報の再交渉を始めるように設定される。これは、第三者が、同定された装置を追跡することをより難しくする。その時間は、例えば約10分としてもよい。
【００２８】
識別情報は、交渉を必要とすることなく変更されてもよい。装置の両方が、識別情報が変更されるアルゴリズムを知っていてもよい。例えば、識別情報は、システム時間、送信カウンタあるいは、装置間で通信に成功したデータのパケット数の関数として変化してもよい。好ましい実施態様の１つにおいては、識別情報は最初に交渉により交換され、続いて、装置間の通信インターフェース上の交渉をせずに、アルゴリズム的に変化するものとする。あるいは、装置は、最初の識別子（例えばランダムに選ばれた識別子）を使用してスタートし、時間経過に従い同じ様式でアルゴリズム的に変化しても良い。ここで使用されるアルゴリズムまたはパラメータは、装置間で、好ましくは安全な通信路を通じて、交換されても良く、こうすることで、第三者が識別情報の変化を追跡するのをより難しくできる。
【００２９】
好適な運用方法において、装置のための識別子は、上述のうちの何れかの方法によって、最初に他の装置との通信が確立した時、またはその前に動的に決定される。そしてこの識別子は、通信している他の装置に、その装置の新しい識別子の情報取得を許す方法で、周期的に変わる。この装置は、他の装置や、この装置と通信を確立したいさらに他の装置によって使用され得るビーコン発信を周期的に送信する。識別子は、ビーコン発信間の時間と比較して比較的低い頻度で変わる。そのため、新しく接続した装置は通常、この装置はそれへの接続を望む際に一定のビーコン識別子を有するものとみなし得る。ただし、識別子はより長期間一定ではないため、装置自体は長期間に亘り第三者によって追跡されることはない。また、装置は、１つまたは複数の、局所的な装置アドレスなどの他の識別子を送信することができる。
【００３０】
装置のための新しい識別子を決定する手段は、好ましくは例えば、装置が通信している他の装置に、当該他の装置がまだ新しい識別子を決定できていない状態で、上記装置の新しい識別子の取得することを許すというようなものである。これを達成するために、識別子は、好ましくは、1台の装置（最も好適には、その識別子がアイデンティティである装置）が決定し、その装置が、実質的に第三者による盗聴から守られている手段によって、現在通信している全ての他の装置に直接通信するか、または、少なくともいくつかのパラメータが上記と同様の方法で他の装置と交換されているアルゴリズムにしたがって、その装置が決定することで、設定される。後者の場合、装置から他の装置へと、アイデンティティが変化することまたは、アイデンティティが、タイマや他のカウンタが所定の値に達するなどの所定の条件に応じて変化し得ることを伝えるために、信号が送信される。
【００３１】
実用的な実施態様において、各装置の送受信機（３，４）は、例えば一般の集積回路などの、単一のハードウェアユニットに組み込まれてもよい。
【００３２】
本発明は、その用途を超広帯域システムまたはブルートゥース・システムに限定されるものではない。
【００３３】
本発明は、識別情報が帯域外で交渉されるとき、特に有利である。この帯域外の交渉は、識別子が使用されるか適用される、異なるシステムまたはそのプロトコルに亘るものである。このような状況において、情報が伝達されるシステムまたはプロトコルは、それを、使用または適用されるシステムまたはプロトコルと比較して、識別情報の伝達により有利にするという性格を有し得る。例えば、識別情報が使用されるシステムまたはプロトコルは、交渉が行われるシステムまたはプロトコルよりも、より高い情報通信速度を有するものとなり得る。一方で、識別情報が交渉されるシステムまたはプロトコルは、より迅速に接続を確立でき、より小さい電力で通信でき、より広範囲に利用でき、他のシステムへの干渉が生ずることがより少なく、また干渉をより受けにくい。
【００３４】
この装置は、どのような適切な形態でもとり得る。限定されるものではないが、各装置は例えば、独立に、ノート・パソコン、ＰＤＡ（パーソナル・デジタル・アシスタント）、携帯電話、ヘッドセットまたは無線ＬＡＮ（ローカル・エリア・ネットワーク）アクセス・ポイントであってもよい。一方または両方の装置は、単一の集積回路であってもよい。かかる集積回路は、先述のタイプの装置に組み込まれ、それらの装置に本願明細書に記載される機能性を与えていても良い。本願明細書において記載されるように、アイデンティティが動的に設定される装置は、好ましくは移動機器、例えば携帯機器とする。
【００３５】
アイデンティティが本願明細書に記載されるように設定された送受信機間で使われるプロトコルは、好ましくは、このプロトコルに従って、装置が、他の装置と通信路を確立するためにその装置からのビーコン発信を探すというものである。好ましくは、このプロトコルは、例えば放送チャネルなどの通信路確立のための情報交換に用いる、予め設定された通信路を備えない。好ましくは、このプロトコルにおいて想定される装置は、他の装置との通信を確立するために行われる、それら他の装置との間でのチャネル情報交換を促進する基地局としては作用しない。この装置は、放送または他の方法で送信される１つまたは複数の他のアイデンティティを有しても良い。この装置は、好ましくは、これらのアイデンティティも、時々変えるように構成されている。
【００３６】
かくして、本願出願人は、本願明細書に記載される個々の特徴を独立に開示し、これら特徴の２つ以上のどの組合せについても、その特徴または組合せは、当業者の一般知識に照らし合わせ、全体として本願明細書に基づき実施され得る範囲に及び、かかる特徴または特徴の組合せが本願明細書に記載されるどの課題を解くかには関係なく、また、請求の範囲を制限するものでもない。本願出願人は、本発明の態様が、個々の特徴または特徴の組合せから成ることを示す。前述の説明から、当業者には、本発明の範囲内において種々の異なる変更態様が成され得ることは明らかである。
【図面の簡単な説明】
【００３７】
【図１】本発明の通信装置を備えたシステムを示す説明図である。
【図１】
2009524374.tif 000003
【国際調査報告】
2009524374.tif 000004
2009524374.tif 000005
2009524374.tif 000006
2009524374.tif 000007
2009524374.tif 000008